【手続補正書】
【提出日】平成24年9月24日(2012.9.24)
【手続補正１】
【補正対象書類名】特許請求の範囲
【補正対象項目名】全文
【補正方法】変更
【補正の内容】
【特許請求の範囲】
【請求項１】
液晶層を挟んで対向する一対の基板の互いに対向する内面のうち、一方の基板の内面に、行方向及び列方向にマトリクス状に配列した複数の画素電極と、前記複数の画素電極にそれぞれ接続された複数のスイッチング素子と、前記複数のスイッチング素子にそれぞれ接続された複数の走査線及び複数の信号線と、が設けられ、前記行方向に隣接する２つの前記画素電極を前記列方向に配列した２列の前記画素電極の組毎に、前記２列の前記画素電極の間に前記信号線を配置し、該信号線を挟んで前記行方向に隣接する２つの前記画素電極のうちで、一方側に隣接する前記画素電極を奇数行の前記走査線に前記スイッチング素子を介して接続し、他方側に隣接する前記画素電極を偶数行の前記走査線に前記スイッチング素子を介して接続してなるアクティブマトリクス型の表示パネルと、
前記画素電極における画像表示のための表示信号を、前記信号線を介して前記表示画素電極に印加する信号側駆動部と、
を具備し、
前記信号側駆動部は、前記表示信号の極性を前記走査線の２本毎に反転させる、ことを特徴とする液晶表示装置。
【請求項２】
前記信号側駆動部は、前記表示信号の極性を前記表示パネルに配列される画素電極の１行毎に反転させることを特徴とする請求項１に記載の液晶表示装置。
【請求項３】
前記表示パネルの他方の基板の内面に形成された対向電極と、該対向電極に共通電圧を印加する共通電圧印加部と、をさらに具備し、
前記共通電圧印加部は、前記共通電圧の極性を前記表示パネルに配列される前記画素電極の１行毎に反転させる、
ことを特徴とする請求項１又は２に記載の液晶表示装置。
【請求項４】
前記表示パネルの他方の基板の内面に形成された対向電極と、該対向電極に共通電圧を印加する共通電圧印加回路と、をさらに具備し、
前記共通電圧印加回路は、前記共通電圧を一定電圧とすることを特徴とする請求項１又は２に記載の液晶表示装置。
【請求項５】
第１の前記走査線と第２の前記走査線との間に第１の行の前記画素電極が配列され、
前記信号側駆動回路は、前記第１の前記走査線の走査信号がゲートオンレベルとなる際に、前記信号線の前記一方側に隣接し、前記第１の前記走査線に接続されている前記スイッチング素子を介して前記尾信号線に接続されている前記画素電極に表示信号を印加して、前記第１の行の一つおきの前記画素電極において画像表示を行わせ、前記第２の前記走査線の走査信号がゲートオンレベルとなる際に、前記信号線の前記他方側に隣接し、前記第２の前記走査線に接続されている前記スイッチング素子を介して前記信号線に接続されている前記画素電極に表示信号を印加して、前記第１の行の残りの一つおきの前記画素電極において画像表示を行わせることで、前記第１の行の全ての前記画素電極において画像表示を行わせることを特徴とする請求項１乃至４の何れか１項に記載の液晶表示装置。
【請求項６】
前記画素電極にパターンずれが発生した場合であっても、前記画素電極の一画面毎に表示の明るさが変動する面フリッカと、前記画素電極の一行毎に表示の明るさが変動する横縞と、前記画素電極の一列毎に表示の明るさが変動する縦縞と、の影響を抑制可能であることを特徴とする請求項１乃至５の何れか１項に記載の液晶表示装置。
【請求項７】
液晶表示装置の駆動方法において、
前記液晶表示装置は、液晶層を挟んで対向する一対の基板の互いに対向する内面のうち、一方の基板の内面に、行方向及び列方向にマトリクス状に配列した複数の画素電極と、前記複数の画素電極にそれぞれ接続された複数のスイッチング素子と、前記複数のスイッチング素子にそれぞれ接続された複数の走査線及び複数の信号線と、が設けられ、前記行方向に互いに隣接する２つの画素電極を前記列方向に配列した２列の前記画素電極の組毎に、前記２列の前記画素電極の間に前記信号線を配置し、前記信号線を挟んで前記行方向に互いに隣接する２つの前記画素電極で前記信号線を共用するとともに、前記行方向に互いに隣接する２つの前記画素電極のうちで、一方側に隣接する前記画素電極を奇数行の前記走査線に前記スイッチング素子を介して接続し、他方側に隣接する前記画素電極を偶数行の前記走査線に前記スイッチング素子を介して接続する、アクティブマトリクス型の表示パネルと、前記画素電極における画像表示のための表示信号を、前記信号線を介して前記画素電極に印加する信号側駆動回路と、
を具備し、
前記信号側駆動回路によって、前記表示信号の極性を前記走査線の２本毎に反転させることを特徴とする液晶表示装置の駆動方法。
【請求項８】
前記表示信号の極性を前記走査線の２本毎に反転させる動作は、前記信号側駆動回路によって、前記表示信号の極性を前記表示パネルに配列される前記画素電極の１行毎に反転させる動作を含むことを特徴とする請求項７に記載の液晶表示装置の駆動方法。
【請求項９】
前記液晶表示装置は、更に、前記表示パネルの他方の基板の内面に形成された対向電極と、前記対向電極に共通電圧を印加する共通電圧印加回路と、を具備し、
前記共通電圧印加回路より印加する前記共通電圧の極性を前記表示パネルに配列される前記画素電極の１行毎に反転させる動作を含むことを特徴とする請求項７又は８に記載の液晶表示装置の駆動方法。
【請求項１０】
前記液晶表示装置は、更に、前記表示パネルの他方の基板の内面に形成された対向電極と、前記対向電極に共通電圧を印加する共通電圧印加回路と、を具備し、
前記共通電圧印加回路より印加する前記共通電圧を一定電圧にする動作を含むことを特徴とする請求項７又は８に記載の液晶表示装置の駆動方法。
【請求項１１】
前記表示装置において、第１の前記走査線と第２の前記走査線との間に第１の行の前記画素電極が配列され、
前記信号側駆動回路により、前記第１の前記走査線の走査信号がゲートオンレベルとなる際に、前記信号線の前記一方側に隣接し、前記第１の前記走査線に接続されている前記スイッチング素子を介して接続している前記画素電極に前記表示信号を印加して、前記第１の行の一つおきの前記画素電極において画像表示を行わせ、前記第２の前記走査線の走査信号がゲートオンレベルとなる際に、前記信号線の前記他方側に隣接し、前記第２の前記走査線に接続されている前記スイッチング素子を介して前記信号線に接続されている前記画素電極に前記表示信号を印加して、前記第１の行の残りの一つおきの前記画素電極において画像表示を行わせて、前記第１の行の全ての前記画素電極において画像表示を行わせる動作を含むことを特徴とする請求項７乃至１０の何れか１項に記載の液晶表示装置の駆動方法。
【請求項１２】
前記画素電極にパターンずれが発生した場合であっても、前記画素電極の一画面毎に表示の明るさが変動する面フリッカと、前記画素電極の一行毎に表示の明るさが変動する横縞と、前記画素電極の一列毎に表示の明るさが変動する縦縞と、の影響を抑制可能であることを特徴とする請求項７乃至１１の何れか１項に記載の液晶表示装置の駆動方法。
【手続補正２】
【補正対象書類名】明細書
【補正対象項目名】発明の名称
【補正方法】変更
【補正の内容】
【発明の名称】液晶表示装置及びその駆動方法
【手続補正３】
【補正対象書類名】明細書
【補正対象項目名】０００１
【補正方法】変更
【補正の内容】
【０００１】
本発明は、１本の信号線を行方向に隣接する２画素で共用するタイプの液晶表示装置及びその駆動方法に関する。
【手続補正４】
【補正対象書類名】明細書
【補正対象項目名】０００９
【補正方法】変更
【補正の内容】
【０００９】
本発明は、上記の事情に鑑みてなされたもので、１本の信号線を行方向に隣接する２つの表示画素で共用する液晶表示装置において、画素電極等のパターンずれが発生した場合であっても面フリッカと横縞と縦縞の影響を抑制可能な液晶表示装置及びそのような液晶表示装置の駆動方法を提供することを目的とする。
【手続補正５】
【補正対象書類名】明細書
【補正対象項目名】００１０
【補正方法】変更
【補正の内容】
【００１０】
上記の目的を達成するために、本発明の第１の一態様の液晶表示装置は、
液晶層を挟んで対向する一対の基板の互いに対向する内面のうち、一方の基板の内面に、行方向及び列方向にマトリクス状に配列した複数の画素電極と、前記複数の画素電極にそれぞれ接続された複数のスイッチング素子と、前記複数のスイッチング素子にそれぞれ接続された複数の走査線及び複数の信号線と、が設けられ、前記行方向に隣接する２つの前記画素電極を前記列方向に配列した２列の前記画素電極の組毎に、前記２列の前記画素電極の間に前記信号線を配置し、該信号線を挟んで前記行方向に隣接する２つの前記画素電極のうちで、一方側に隣接する前記画素電極を奇数行の前記走査線に前記スイッチング素子を介して接続し、他方側に隣接する前記画素電極を偶数行の前記走査線に前記スイッチング素子を介して接続してなるアクティブマトリクス型の表示パネルと、
前記画素電極における画像表示のための表示信号を、前記信号線を介して前記表示画素に印加する信号側駆動部と、
を具備し、
前記信号側駆動部は、前記表示信号の極性を前記走査線の２本毎に反転させる、ことを特徴とする。
上記の目的を達成するために、本発明の第２の態様の液晶表示装置の駆動方法は、
前記液晶表示装置は、液晶層を挟んで対向する一対の基板の互いに対向する内面のうち、一方の基板の内面に、行方向及び列方向にマトリクス状に配列した複数の画素電極と、前記複数の画素電極にそれぞれ接続された複数のスイッチング素子と、前記複数のスイッチング素子にそれぞれ接続された複数の走査線及び複数の信号線と、が設けられ、前記行方向に互いに隣接する２つの画素電極を前記列方向に配列した２列の前記画素電極の組毎に、前記２列の前記画素電極の間に前記信号線を配置し、前記信号線を挟んで前記行方向に互いに隣接する２つの前記画素電極で前記信号線を共用するとともに、前記行方向に互いに隣接する２つの前記画素電極のうちで、一方側に隣接する前記画素電極を奇数行の前記走査線に前記スイッチング素子を介して接続し、他方側に隣接する前記画素電極を偶数行の前記走査線に前記スイッチング素子を介して接続する、アクティブマトリクス型の表示パネルと、前記画素電極における画像表示のための表示信号を、前記信号線を介して前記画素電極に印加する信号側駆動回路と、
を具備し、
前記信号側駆動回路によって、前記表示信号の極性を前記走査線の２本毎に反転させることを特徴とする。
【手続補正６】
【補正対象書類名】明細書
【補正対象項目名】００１１
【補正方法】変更
【補正の内容】
【００１１】
本発明によれば、１本の信号線を行方向に隣接する２つの表示画素で共用する液晶表示装置において、画素電極等のパターンずれが発生した場合であっても面フリッカと横縞と縦縞の影響を抑制可能な液晶表示装置及びそのような液晶表示装置の駆動方法を提供することができる。